(57)【要約】【課題】簡単な構造をもって，吸気行程ないし圧縮行程初期で排気弁を微小開度開き得るようにした安価な内燃機関の排気還流装置を提供する。【解決手段】動弁用カム軸３６に，その軸方向の第１ガイド孔５５と，この第１ガイド孔５５を，カム軸３６に形成される排気カム３６ｅのベース面に連通する半径方向の第２ガイド孔６３とを設け，第１ガイド孔５５には，アクチュエータ５３により後退位置から前進位置へと作動されるプランジャ５６を嵌合し，また第２ガイド孔６３には，プランジャ５６の後退位置から前進位置間への移動に連動して，外端を排気カム３６ｅのベース面内方に退去させる不作動位置から，外端を同ベース面外方に突出させる作動位置へ移動するリフトピン６４を嵌合し，このリフトピン６４の作動位置への移動により，吸気行程ないし圧縮行程初期で排気弁２９ｅを微小開度開くようにした。【選択図】  図７
2008069671.tif 000002
【特許請求の範囲】
【請求項１】
動弁用カム軸（３６）に，その軸方向の第１ガイド孔（５５）と，この第１ガイド孔（５５）を，カム軸（３６）に形成される排気カム（３６ｅ）のベース面に連通する半径方向の第２ガイド孔（６３）とを設け，第１ガイド孔（５５）には，アクチュエータ（５３）により後退位置から前進位置へと作動されるプランジャ（５６）を嵌合し，また第２ガイド孔（６３）には，プランジャ（５６）の後退位置から前進位置間への移動に連動して，外端を排気カム（３６ｅ）のベース面内方に退去させる不作動位置から，外端を同ベース面外方に突出させる作動位置へ移動するリフトピン（６４）を嵌合し，このリフトピン（６４）の作動位置への移動により，吸気行程ないし圧縮行程初期で排気弁（２９ｅ）を微小開度開くようにしたことを特徴とする，内燃機関の排気還流装置。
【請求項２】
請求項１記載の内燃機関の排気還流装置において，
プランジャ（５６）及びリフトピン（６４）に，互いに係合する半球状もしくは円錐状の端部を形成し，プランジャ（５６）が後退位置から前進位置に移動するときリフトピン（６４）を不作動位置から作動位置へ押し上げるようにしたことを特徴とする，内燃機関の排気還流装置。
【請求項３】
請求項１又は２記載の内燃機関の排気還流装置において，
リフトピン（６４）に，これを不作動位置に向かって付勢する戻しばね（６５）を接続し，この戻しばね（６５）のセット荷重を，少なくともアクチュエータ（５３）の作動前にリフトピン（６４）がそれ自体の，排気弁（２９ｅ）の開弁荷重より弱い遠心力により作動位置へ移動するのを許容するように設定したことを特徴とする，内燃機関の排気還流装置。
【請求項４】
請求項１〜３の何れかに記載の内燃機関の排気還流装置において，
排気カム（３６ｅ）のベース面の一部に凹部（６２）を形成する一方，この凹部（６２）内に収容されるフランジ（６４ａ）をリフトピン（６４）に形成し，リフトピン（６４）を不作動位置に向かって付勢する戻しばね（６５）を，カム軸（３６）の外周に嵌合して保持されるリング部（６５ａ）と，このリング部（６５ａ）の外周部から前記凹部（６２）に収容されるように屈曲して，前記フランジ（６４ａ）の外端面に弾発的に圧接する弾性アーム部（６５ｂ）とで構成したことを特徴とする，内燃機関の排気還流装置。
【発明の詳細な説明】
【技術分野】
【０００１】
本発明は，吸気行程ないし圧縮行程初期で排気弁を微小開度開いて，排気ポート内の残留排ガスを燃焼室に適量吸入させ，膨張行程での燃焼温度の過度の上昇を抑制し，ＮＯｘの発生を防ぐようにした，内燃機関の排気還流装置の改良に関する。
【背景技術】
【０００２】
かゝる内燃機関の排気還流装置は，特許文献１に開示されるように，既に知られている。
【特許文献１】特開２００４−１６９６８７号公報
【発明の開示】
【発明が解決しようとする課題】
【０００３】
従来の内燃機関の動弁装置では，構造が複雑で安価に提供することが困難である。
【０００４】
本発明は，かゝる事情に鑑みてなされたもので，簡単な構造をもって，吸気行程ないし圧縮行程初期で排気弁を微小開度開き得るようにした安価な内燃機関の排気還流装置を提供することを目的とする。
【課題を解決するための手段】
【０００５】
上記目的を達成するために，本発明に係る内燃機関の排気還流装置は，動弁用カム軸に，その軸方向の第１ガイド孔と，この第１ガイド孔を，カム軸に形成される排気カムのベース面に連通する半径方向の第２ガイド孔とを設け，第１ガイド孔には，アクチュエータにより後退位置から前進位置へと作動されるプランジャを嵌合し，また第２ガイド孔には，プランジャの後退位置から前進位置間への移動に連動して，外端を排気カムのベース面内方に退去させる不作動位置から，外端を同ベース面外方に突出させる作動位置へ移動するリフトピンを嵌合し，このリフトピンの作動位置への移動により，吸気行程ないし圧縮行程初期で排気弁を微小開度開くようにしたことを第１の特徴とする。
【０００６】
前記プランジャは，後述する本発明の実施例中の補助プランジャ５６に対応する。
【０００７】
また本発明は，第１の特徴に加えて，プランジャ及びリフトピンに，互いに係合する半球状もしくは円錐状の端部を形成し，プランジャが後退位置から前進位置に移動するときリフトピンを不作動位置から作動位置へ押し上げるようにしたことを第２の特徴とする。
【０００８】
さらに本発明は，第１又は第２の特徴に加えて，リフトピンに，これを不作動位置に向かって付勢する戻しばねを接続し，この戻しばねのセット荷重を，少なくともアクチュエータの作動前にリフトピンがそれ自体の，排気弁の開弁荷重より弱い遠心力により作動位置へ移動するのを許容するように設定したことを第３の特徴とする。
【０００９】
さらにまた本発明は，第１〜第３の特徴の何れかに加えて，排気カムのベース面の一部に凹部を形成する一方，この凹部内に収容されるフランジをリフトピンに形成し，リフトピンを不作動位置に向かって付勢する戻しばねを，カム軸の外周に嵌合して保持されるリング部と，このリング部の外周部から前記凹部に収容されるように屈曲して，前記フランジの外端面に弾発的に圧接する弾性アーム部とで構成したことを第４の特徴とする。
【発明の効果】
【００１０】
本発明の第１の特徴によれば，リフトピンの作動位置への移動により，吸気行程ないし圧縮行程初期で排気弁を微小開度開くようにしたので，吸気行程ないし圧縮行程初期で排気ポートから燃焼室に排ガスを適量引き込んで，膨張行程での燃焼温度の過度の上昇を抑制し，ＮＯｘの発生を防ぐことができる。しかも，吸気行程ないし圧縮行程初期での排気弁の微小開度の開放は，プランジャの軸方向の動きを，カム軸での半径方向の動きに変換してリフトピンに伝達することで行われるので，その構造は部品点数が少なく簡単であり，安価に提供することができる。
【００１１】
本発明の第２の特徴によれば，プランジャの前進に伴い，リフトピンを作動位置にスムーズに作動することができる。
【００１２】
本発明の第３の特徴によれば，アクチュエータの不作動時には，戻しばねの付勢力によりリフトピンの作動位置への移動を極力抑えることができる。しかもリフトピンの作動位置への移動には，リフトピン自体の遠心力を利用するので，アクチュエータの負荷が軽減するので，その小容量化を図ることができる。
【００１３】
本発明の第４の特徴によれば，アクチュエータの不作動時には，戻しばねの付勢力によりリフトピンの作動位置への移動を極力抑えることができる。しかもこの戻しばねを，カム軸の外周に嵌合して保持されるリング部と，このリング部の外周部から前記凹部に収容されるように屈曲して，前記フランジの外端面に弾発的に圧接する弾性アーム部とで構成したので，排気カムのベース面の狭小な凹部でリフトピンを不作動位置側に付勢することができると共に，戻しばねの保持を簡単，確実に行うことができる。
【発明を実施するための最良の形態】
【００１４】
本発明の実施の形態を，添付図面に示す本発明の好適な実施例に基づいて以下に説明する。
【００１５】
図１は本発明の実施例に係る内燃機関の破断側面図（図２の１−１線断面図），図２は図１の１−１線断面図，図３は図２の３−３線断面図，図４は燃焼室に対する主，副吸気ポート及び排気ポートの配置図，図５は機関の低速運転状態で示す，図２の動弁装置部の拡大図，図６は機関の高速運転状態で示す，図５との対応図，図７は機関の高速運転状態で示すカム軸周辺部の縦断斜視図，図８は機関の低速運転時におけるカム周辺部の作用説明図で，（Ａ）はカム軸の側面図，（Ｂ）は（Ａ）のＢ−Ｂ線断面図，（Ｃ）は（Ａ）のＣ−Ｃ線断面図，図９は機関の高速運転時におけるカム周辺部の作用説明図で，（Ａ）はカム軸の側面図，（Ｂ）は（Ａ）のＢ−Ｂ線断面図，（Ｃ）は（Ａ）のＣ−Ｃ線断面図，図１０は動弁装置の弁開閉タイミング線図である。
【００１６】
先ず，図１〜図３において，汎用４サイクル内燃機関Ｅの機関本体１は，下部に据え付け座２ａを持つクランクケース２と，このクランクケース２に一体に連設され，上向き傾斜のシリンダボア３ａを有するシリンダブロック３と，このシリンダブロック３の上端面に接合されるシリンダヘッド５とを構成要素している。
【００１７】
クランクケース２は一側面を開放しており，その開放面からやゝ内方寄りの内周壁には，上記開放側面側を向いて周方向に並ぶ複数の段部８，８…（図２）が一体に形成され，これら段部８，８…に軸受ブラケット１０が複数のボルト１１，１１…により固着される。この軸受ブラケット１０とクランクケース２の他側壁とで水平姿勢のクランク軸１２の両端部がベアリング１３，１３′を介して支承される。またクランク軸１２と平行に隣接配置されるバランサ軸１４の両端部が，同じく軸受ブラケット１０とクランクケース２の他側壁とでベアリング１５，１５を介して支承される。
【００１８】
クランクケース２には，その一側の開放面を閉鎖するサイドカバー１７が複数のボルト２４，２４…により接合される。クランク軸１２の一端部は，出力軸部として，このサイドカバー１７を貫通して外方に突出し，この出力軸部の外周面に密接するオイルシール１８がサイドカバー１７に取り付けられる。
【００１９】
クランク軸１２の他端部は，クランクケース２の他側壁を貫通し，このクランク軸１２の他端部に密接するオイルシール１９が，前記ベアリング１３′の外側に隣接してクランクケース２の他側壁に取り付けられる。クランク軸１２の他端部には発電機２０のロータを兼るフライホイール２１が固着され，このフライホイール２１の外側面には冷却ファン２２が付設される。さらにクランク軸１２の他端部には，クランクケース２に支持されるリコイル式スタータ２３が対置される。
【００２０】
図３及び図４に示すように，前記クランク軸１２には，シリンダボア３ａに嵌装されるピストン２５がコンロッド２６を介して連接される。シリンダヘッド５には，シリンダボア３ａに連なる燃焼室２７と，この燃焼室２７にそれぞれ開口する主吸気ポート２８ｍ，副吸気ポート２８ｓ及び排気ポート２８ｅとが形成されると共に，これら主吸気ポート２８ｍ，副吸気ポート２８ｓ及び排気ポート２８ｅの燃焼室２７への開口部は，燃焼室２７の天井面に埋設される環状の主吸気弁座部材３１ｍ，副吸気弁座部材３１ｓ及び排気弁座部材３１ｅで構成される。
【００２１】
主吸気弁座部材３１ｍは排気弁座部材３１ｅよりも大径に，また副吸気弁座部材３１ｓは排気弁座部材３１ｅよりも小径にそれぞれ形成される。またシリンダヘッド５には，電極を燃焼室２７に電極を臨ませる点火プラグ３９が螺着される。
【００２２】
主吸気弁座部材３１ｍは，燃焼室２７の最外周部に配置され，副吸気弁座部材３１ｓは，主吸気弁座部材３１ｍの一側に隣接し且つ主吸気弁座部材３１ｍより燃焼室２７の中心寄りに配置され，排気弁座部材３１ｅは，主吸気弁座部材３１ｍと反対側の副吸気弁座部材３１ｓの一側に隣接して配置され，点火プラグ３９の電極は，主吸気弁座部材３１ｍ及び排気弁座部材３１ｅ間で燃焼室２７の中心に極力近接して配置される。
【００２３】
主吸気ポート２８ｍには，空燃比が理論空燃比より大なる混合気，即ち希薄混合気を供給する希薄混合気供給装置３２が接続され，また副吸気ポート２８ｓには，空燃比が理論空燃比より小なる混合気，即ち濃厚混合気を供給する濃厚混合気供給装置３３が接続される。
【００２４】
主吸気ポート２８ｍは，燃焼室２７の半径方向外側から旋回しつゝ主吸気弁座部材３１ｍに到達するようにヘリカル状に形成され，この主吸気ポート２８ｍから燃焼室２７に供給する濃厚混合気に，燃焼室２７の外周部領域３４ａで一定方向の第１スワールＳ１を与えるようになっている。それに対して副吸気ポート２８ｓは，燃焼室２７の中心部領域３４ｂの接線方向を指向するように形成され，これにより，副吸気ポート２８ｓから燃焼室２７に供給する濃厚混合気に中心部領域３４ｂで第１スワールＳ１と同方向の第２スワールＳ２を与えるようになっている。前記外周部領域３４ａ及び中心部領域３４ｂ間を仕切るように，ピストン２５の頂面には環状凸壁３４が一体に突設される。
【００２５】
前記主吸気弁２９ｍ，副吸気弁２９ｓ及び排気弁２９ｅには，これらを閉じ方向に付勢する弁ばね３０ｍ，３０ｓ，３０ｅがそれぞれ装着される。そして，これら弁ばね３０ｍ，３０ｓ，３０ｅと協働する動弁装置３５により，図１０に示す弁開閉特性で主吸気弁２９ｍ，副吸気弁２９ｓ及び排気弁２９ｅは開閉駆動される。
【００２６】
その動弁装置３５について，図２，図３，図５〜図１０を参照しながら説明する。
【００２７】
先ず図２，図３及び図５において，動弁装置３５は，クランク軸１２と平行にシリンダヘッド５に支承されカム軸３６と，クランク軸１２及びカム軸３６間を連結するタイミング伝動装置３７とを備える。
【００２８】
タイミング伝動装置３７は，クランク軸１２に固着される歯付きの駆動プーリ４５と，カム軸３６に固着される歯付きで，その歯数が駆動プーリ４５より１／２である従動プーリ４６と，これら駆動及び従動プーリ４５，４６に巻き掛けられる無端のタイミングベルト４７とで構成される。而して，クランク軸１２の回転は，このタイミング伝動装置３７により１／２に減速されてカム軸３６に伝達される。
【００２９】
カム軸３６には，主吸気カム３６ｍ，副吸気カム３６ｓ及び排気カム３６ｅが設けられ，主吸気カム３６ｍ及び主吸気弁２９ｍ間が主吸気ロッカアーム３８ｍにより，また副吸気カム３６ｓ及び副吸気弁２９ｓ間が副吸気ロッカアーム３８ｓにより，また排気カム３６ｅ及び排気弁２９ｅ間が排気ロッカアーム３８ｅによりそれぞれ連接される。上記三本のロッカアーム３８ｍ，３８ｓ，３８ｅは，シリンダヘッド５に支持される共通一本のロッカ軸４０に揺動自在に支承される。
【００３０】
カム軸３６は，その一端部がボールベアリング４１を介してシリンダヘッド５に支持され，その他端部は，シリンダヘッド５と一体に形成された軸受ボス４２により支持される。このカム軸３６に，ボールベアリング４１側から順に，排気カム３６ｅ，主吸気カム３６ｍ及び副吸気カム３６ｓが設けられる。その際，排気カム３６ｅは，カム軸３６に一体に形成され，主吸気カム３６ｍは，排気カム３６ｅの一端面から延出して軸受ボス４２内に達する案内筒部３６ａに回転自在に嵌合され，副吸気カム３６ｓは，案内筒部３６ａに圧入固定される筒軸４４に一体に形成される。この筒軸４４が前記軸受ボス４２に直接支持される。
【００３１】
前記案内筒部３６ａの中空部４３には主プランジャ５０が軸方向摺動自在に嵌合され，この主プランジャ５０の外端には，これを押動し得るプッシュロッド５１が相対回転自在に当接する。このプッシュロッド５１は，前記軸受ボス４２の端壁にシール部材５２を介して支持され，その外端には，これを軸方向に駆動し得るアクチュエータ５３が接続される。このアクチュエータ５３は，電動式，電磁式，吸入負圧式，遠心式，油圧式等，種々の形式のものが使用可能である。
【００３２】
カム軸３６には，案内筒部３６ａの中空部４３に環状段部５４を介して連なる，中空部４３より小径の第１ガイド孔５５が設けられる。一方，主プランジャ５０には，その一端面から第１ガイド孔５５に向かって延びる補助プランジャ５６が一体に形成され，その補助プランジャ５６が第１ガイド孔５５に摺動自在に嵌合される。また第１ガイド孔５５には，補助プランジャ５６を介して主プランジャ５０をプッシュロッド５１側に所定のセット荷重で付勢する第１戻しばね５７が縮設される。
【００３３】
主プランジャ５０の外周面には，ボールキーよりなるキー部材５８を回転自在に支持する半球状の凹部５９が形成される。案内筒部３６ａの周壁には，上記キー部材５８が移動可能に貫通する螺旋溝６０が，また主吸気カム３６ｍの内周面には，上記キー部材５８が転動可能に係合する直線溝６１がそれぞれ形成される。螺旋溝６０はカム軸３６の軸線周りに延び，また直線溝６１は，カム軸３６の軸線に平行して延びるようにそれぞれ形成される。これらの溝６０，６１は互いに交差するように配置され，両溝６０，６１の交差部にキー部材５８が係合することになる。
【００３４】
而して，主プランジャ５０は，アクチュエータ５３の作動と第１戻しばね５７の付勢との協働により，環状段部５４から一定距離離れた後退位置（図５及び図８参照）と，環状段部５４に当接する前進位置（図６，図７及び図９参照）との間を移動されるもので，機関の低速運転状態では後退位置に保持され，高速運転状態になると前進位置へと移動される。主プランジャ５０が，このように後退位置から前進位置へ移動するとき，それと同時にキー部材５８は互いに交差する螺旋溝６０及び直線溝６１内を移動するので，螺旋溝６０及び直線溝６１の交差部の位置が変化することになり，これによって主吸気カム３６ｍは，カム軸３６と一体の排気カム３６ｅに対して低速位置から高速位置へと所定角度α（図９参照）進角するようになっている。
【００３５】
また前記排気カム３６ｅのベース面の一部に凹部６２が設けられ，この凹部６２の底面から前記第１ガイド孔５５に達する半径方向の第２ガイド孔６３がカム軸３６に穿設され，この第２ガイド孔６３にリフトピン６４が摺動自在に嵌合される。このリフトピン６４は，凹部６２の底面に対向するフランジ６４ａを中間部に有しており，このフランジ６４ａを第１ガイド孔５５側に付勢する第２戻しばね６５がカム軸３６に取り付けられる。この第２戻しばね６５は，カム軸３６の外周に嵌合して排気カム３６ｅ及び主吸気カム３６ｍ間に挟まれるばね材製のリング部６５ａと，このリング部６５ａの外周部から凹部６２に収容されるように屈曲したフォーク状の弾性アーム部部６５ｂとからなっており，この弾性アーム部６５ｂがリフトピン６４を跨ぎながらフランジ６４ａの外端面に弾発的に圧接して，リフトピン６４を第１ガイド孔５５側に付勢するようになっている。かくして，排気カム３６ｅのベース面の狭小な凹部６２において，第２戻しばね６５によりリフトピン６４を不作動位置側に付勢することができると共に，第２戻しばね６５の保持を簡単，確実に行うことができる。
【００３６】
リフトピン６４は，フランジ６４ａを凹部６２の底面に当接して，内端を第１ガイド孔５５側に突出させると共に外端を排気弁２９ｅのベース面内方に退去させる不作動位置（図５及び図８参照）と，内端を第２ガイド孔６３に収めると共に外端を排気カム３６ｅのベース面外方に僅かに突出させる作動位置（図６，図７及び図９参照）との間を移動するもので，その作動位置は，補助プランジャ５６が前進したとき，その外周面でリフトピン６４の内端を受け止めることで規制され，またその不作動位置は，補助プランジャ５６が後退してリフトピン６４を解放したとき，弾性アーム部６５ｂの弾発力でフランジ６４ａが凹部６２の底面に当接することで規制される。補助プランジャ５６の前進によるリフトピン６４の半径方向のスムーズな押し上げを可能にするために，補助プランジャ５６及びリフトピン６４の互いに係合する端部は半球状もしくは円錐状に形成される。
【００３７】
而して，リフトピン６４が作動位置に来ると，排気カム３６ｅのベース面が排気ロッカアーム３８ｅに対面したとき，リフトピン６４の突出した外端部が排気ロッカアーム３８ｅを僅かに押し上げて，排気弁２９ｅを微小開度（排気行程での全開開度より遥かに小さい。）開くことになる。
【００３８】
ところで，前記弾性アーム部６５ｂの，リフトピン６４を不作動位置側に付勢するセット荷重は，少なくともアクチュエータ５３の作動前にリフトピン６４がそれ自体の，排気弁２９ｅの開弁荷重より弱い遠心力により作動位置へ移動するのを許容するように設定される。
【００３９】
次に，この実施例の作用を，図１０の弁開閉タイミング線図を参照しながら説明する。
【００４０】
内燃機関Ｅの低速運転状態では，主プランジャ５０は図５及び図８に示す後退位置に保持されるので，主吸気弁２９ｍを低速位置に，またリフトピン６４を不作動位置にそれぞれ制御する。そしてカム軸３６の回転によれば，排気弁２９ｅ，主吸気弁２９ｍ及び副吸気弁２９ｓが順次開閉される。
【００４１】
特に，吸気行程が始まると，先ず主吸気弁２９ｍが開くので，希薄混合気が主吸気ポート２８ｍから燃焼室２７に導入される。このとき，希薄混合気は，ヘリカル形状の主吸気ポート２８ｍにより誘導されて燃焼室２７の外周部領域３４ａで一定方向の第１スワールＳ１を発生する。副吸気弁２９ｓは，吸気行程の後半に開き始め，その開きは，吸気行程の終了時期に主吸気弁２９ｍが閉じ終わっても継続し，燃焼室２７の残留負圧が無くなる圧縮行程の前半で閉じる。これによって濃厚混合気が副吸気ポート２８ｓから燃焼室２７の中心部領域３４ｂに供給される。副吸気ポート２８ｓは，第１スワールＳ１の方向に向かうべく中心部領域３４ｂの接線方向を指向するので，中心部領域３４ｂでは濃厚混合気が第１スワールＳ１と同方向の第２スワールＳ２を発生させることになる。このように，濃厚混合気の第２スワールＳ２は，希薄混合気の第１スワールＳ１よりも遅く発生することで，希薄混合気と濃厚混合気との混合を極力回避することができる。
【００４２】
しかも，燃焼室２７においては，外周部領域３４ａと，これに囲繞される中心部領域３４ｂとが，ピストン２５の環状凸壁３４により区画されるので，希薄混合気及び濃厚混合気の混合を防ぎ，また希薄混合気の第１スワールＳ１と濃厚混合気の第２スワールＳ２とが同一方向を取ることも，スワール相互の干渉を防ぎ，両混合気の混合を回避する上で有効である。こうして，中心部領域３４ｂの濃厚混合気は，外周部領域３４ａの希薄混合気により希薄化されることなく，圧縮行程の終わりを迎えるので，点火プラグ３９の点火時には，的確に着火することができ，その結果，発生する火炎により希薄混合気を確実に燃焼させ，安定した成層燃焼を行うことができ，低燃費性の向上を図ることができる。
【００４３】
内燃機関Ｅが所定の高速運転域に入ると，アクチュエータ５３が作動してプッシュロッド５１を介して主プランジャ５０を，図６，図７及び図９に示す前進位置へと押動するので，前述のように，主プランジャ５０に支持されるキー部材５８は，主プランジャ５０及び主吸気カム３６ｍの互いに交差する螺旋溝６０及び直線溝６１内を移動することにより，主吸気カム３６ｍを高速位置へと所定角度α（図９及び参照）進角する。その結果，主吸気弁２９ｍの開閉タイミングは上記角度α分，進角（図１０参照）し，排気弁２９ｅ及び主吸気弁２９ｍの弁重合期間が増加するので，排気慣性を利用して，燃焼室２７の掃気を促進しつゝ充填効率を高め，機関出力の増強を図ることができる。
【００４４】
このように主吸気弁２９ｍの開閉タイミングの変化のための主吸気カム３６ｍの位相調節は，主プランジャ５０に支持されるキー部材５８を互いに交差する螺旋溝６０及び直線溝６１に移動可能に係合させることで行われるので，その構造は部品点数が少なく簡単であり，安価に提供することができる。またキー部材５８を，主プランジャ５０の半球状凹部５９に回転自在に支持されるボールキーで構成すれば，そのボールキー５８の，螺旋溝６０及び直線溝６１での移動がスムーズとなり，主吸気カム３６ｍの位相の調節を的確に行うことができる。
【００４５】
また主プランジャ５０が前進位置に到達すると，それと共に前進する補助プランジャ５６がリフトピン６４を作動位置へと押し上げるので，リフトピン６４は排気弁２９ｅのベース面から僅かに突出する。その結果，吸気行程ないし圧縮行程初期でリフトピン６４が排気ロッカアーム３８ｅを介して排気弁２９ｅを僅かに開くので，排気ポート２８ｅ内の残留排ガスが燃焼室２７に適量吸入される。つまりＥＧＲ（排気還流）が行われるため，膨張行程での燃焼温度の過度の上昇を抑制し，ＮＯｘの発生を防ぐことができる。
【００４６】
このように，排気弁の微小開放によるＥＧＲは，補助プランジャ５６の軸方向の動きを，排気カム３６ｅでの半径方向の動きに変換してリフトピン６４に伝達することで行われるので，その構造は部品点数が少なく簡単であり，安価に提供することができる。しかも，補助プランジャ５６は，主吸気カム３６ｍの位相調節に用いられる主プランジャ５０に連結されるので，主吸気弁２９ｍの位相調節とＥＧＲとを，共通のアクチュエータ５３の作動によって行うことができ，構成の一層の簡素化を図ることができる。
【００４７】
また第２戻しばね６５の弾性アーム部６５ｂの，リフトピン６４を不作動位置側に付勢するセット荷重は，少なくともアクチュエータ５３の作動前にリフトピン６４がそれ自体の，排気弁２９ｅの開弁荷重より弱い遠心力により作動位置へ移動することを許容するように設定されるので，アクチュエータ５３の作動前である機関Ｅの低速運転時には，リフトピン６４が遠心力により作動位置へ移動しても，排気ロッカアーム３８ｅとの接触時には，排気弁２９ｅの開弁抵抗により不作動位置に押し戻されることになり，吸入行程で排気弁２９ｅを開かせることはないが，アクチュエータ５３が作動状態となる機関Ｅの高速運転時には，リフトピン６４が遠心力により一旦作動位置へ移動して，補助プランジャ５６の外周面がリフトピン６４の内端を支持すると，リフトピン６４の作動位置が保持されることになり，吸入行程で排気弁２９ｅを微小開度開かせることができる。このようにリフトピン６４の作動位置への移動に，リフトピン６４自体の遠心力を利用すれば，アクチュエータ５３の負荷が軽減するので，その小容量化を図ることができる。
【００４８】
尚，本発明は前記実施例に限定されるものではなく，その要旨を逸脱しない範囲で種々の設計変更が可能である。例えば，螺旋溝６０は主吸気カム３６ｍ側に，直線溝６１は案内筒部３６ａ側に設けることもでき，また両溝６０，６１共，互いに交差する螺旋溝とすることもできる。
【００４９】
また弁の位相調節は，主吸気弁２９ｍに限らず，排気弁２９ｅにも適用することができ，勿論，通常タイプの内燃機関の吸気弁にも適用可能である。
【図面の簡単な説明】
【００５０】
【図１】本発明の実施例に係る内燃機関の破断側面図（図２の１−１線断面図）。
【図２】図１の１−１線断面図。
【図３】図２の３−３線断面図。
【図４】燃焼室に対する主，副吸気ポート及び排気ポートの配置図。
【図５】機関の低速運転状態で示す，図２の動弁装置部の拡大図。
【図６】機関の高速運転状態で示す，図５との対応図。
【図７】機関の高速運転状態で示すカム軸周辺部の縦断斜視図。
【図８】機関の低速運転時におけるカム周辺部の作用説明図で，（Ａ）はカム軸の側面図，（Ｂ）は（Ａ）のＢ−Ｂ線断面図，（Ｃ）は（Ａ）のＣ−Ｃ線断面図。
【図９】機関の高速運転時におけるカム周辺部の作用説明図で，（Ａ）はカム軸の側面図，（Ｂ）は（Ａ）のＢ−Ｂ線断面図，（Ｃ）は（Ａ）のＣ−Ｃ線断面図。
【図１０】動弁装置の弁開閉タイミング線図。
【符号の説明】
【００５１】
Ｅ・・・・・内燃機関
２９ｅ・・・排気弁
３６・・・・カム軸
３６ｅ・・・排気カム
５３・・・・アクチュエータ
５５・・・・第１ガイド孔
５６・・・・プランジャ（補助プランジャ）
６２・・・・排気カムのベース面の凹部
６３・・・・第２ガイド孔
６４・・・・リフトピン
６５・・・・戻しばね（第２戻しばね）
６５ａ・・・リング部
６５ｂ・・・弾性アーム部
【図１】
2008069671.tif 000003
【図２】
2008069671.tif 000004
【図３】
2008069671.tif 000005
【図４】
2008069671.tif 000006
【図５】
2008069671.tif 000007
【図６】
2008069671.tif 000008
【図７】
2008069671.tif 000009
【図８】
2008069671.tif 000010
【図９】
2008069671.tif 000011
【図１０】
2008069671.tif 000012